(57)【特許請求の範囲】
【請求項１】
情報記録媒体となるディスクを装着するためのトレイと、このトレイを挿抜可能に内嵌する筐体とを有し、前記筐体もしくは前記トレイの何れか一方の部材にロックピンを配備する一方、他方の部材には、前記ロックピンに係脱するロック部を先端に備えて揺動可能に支持されたロックレバーと、前記ロック部を前記ロックピンに係合させる方向に前記ロックレバーを揺動付勢するロックレバー付勢部材と、前記ロックレバー付勢部材による付勢力に抗して前記ロックレバーを押圧し前記ロック部を前記ロックピンから離脱させる方向に揺動するイジェクトレバーと、前記イジェクトレバーが前記ロックレバーを押圧する方向に前記イジェクトレバーを揺動付勢するイジェクトレバー付勢部材と、前記イジェクトレバーに接続された可動片を吸着して前記イジェクトレバー付勢部材の付勢力に抗して前記イジェクトレバーを揺動させ該イジェクトレバーが前記ロックレバーを押圧しない位置に退避させておく自己保持方式のソレノイドと、前記トレイの挿抜操作によって前記トレイと前記筐体との間に生じる位置変化を利用して前記ロックピンに摺接し前記ロックピンからの押圧力を受けて揺動することによって前記可動片が前記ソレノイドに接近する方向に前記イジェクトレバーを揺動させるリセットレバーと、少なくとも前記ソレノイドによる前記可動片の吸着が解除された状況下において前記リセットレバーが前記ロックピンと摺接可能な位置に前記リセットレバーを揺動付勢しておくリセットレバー付勢部材とを備えたディスク装置のロック機構であって、
前記イジェクトレバーが前記ロックレバーを押圧しない位置に前記イジェクトレバーを退避させた状態で前記リセットレバーが前記ロックピンから離間し、かつ、前記イジェクトレバーが前記ロックレバーを押圧する位置に前記イジェクトレバーを揺動させた状態で前記リセットレバーが前記ロックピンに接近するように前記リセットレバーの先端を前記イジェクトレバーの揺動側の先端に枢着することにより、単一の付勢部材によって前記イジェクトレバー付勢部材と前記リセットレバー付勢部材を形成したことを特徴とするディスク装置のロック機構。
【請求項２】
情報記録媒体となるディスクを装着するためのトレイと、このトレイを挿抜可能に内嵌する筐体とを有し、前記筐体もしくは前記トレイの何れか一方の部材にロックピンを配備する一方、他方の部材には、前記ロックピンに係脱するロック部を先端に備えて揺動可能に支持されたロックレバーと、前記ロック部を前記ロックピンに係合させる方向に前記ロックレバーを揺動付勢するロックレバー付勢部材と、前記ロックレバー付勢部材による付勢力に抗して前記ロックレバーを押圧し前記ロック部を前記ロックピンから離脱させる方向に揺動するイジェクトレバーと、前記イジェクトレバーが前記ロックレバーを押圧する方向に前記イジェクトレバーを揺動付勢するイジェクトレバー付勢部材と、前記イジェクトレバーに接続された可動片を吸着して前記イジェクトレバー付勢部材の付勢力に抗して前記イジェクトレバーを揺動させ該イジェクトレバーが前記ロックレバーを押圧しない位置に退避させておく自己保持方式のソレノイドと、前記トレイの挿抜操作によって前記トレイと前記筐体との間に生じる位置変化を利用して前記ロックピンに摺接し前記ロックピンからの押圧力を受けて揺動することによって前記可動片が前記ソレノイドに接近する方向に前記イジェクトレバーを揺動させるリセットレバーと、少なくとも前記ソレノイドによる前記可動片の吸着が解除された状況下において前記リセットレバーが前記ロックピンと摺接可能な位置に前記リセットレバーを揺動付勢しておくリセットレバー付勢部材とを備えたディスク装置のロック機構であって、
前記ロックレバーと前記イジェクトレバーと前記リセットレバーの各々の揺動面が平行になるようにして、前記揺動面の法線方向に向けて前記ロックレバーと前記イジェクトレバーと前記リセットレバーを重合配備したことを特徴とするディスク装置のロック機構。
【請求項３】
情報記録媒体となるディスクを装着するためのトレイと、このトレイを挿抜可能に内嵌する筐体とを有し、前記筐体もしくは前記トレイの何れか一方の部材にロックピンを配備する一方、他方の部材には、前記ロックピンに係脱するロック部を先端に備えて揺動可能に支持されたロックレバーと、前記ロック部を前記ロックピンに係合させる方向に前記ロックレバーを揺動付勢するロックレバー付勢部材と、前記ロックレバー付勢部材による付勢力に抗して前記ロックレバーを押圧し前記ロック部を前記ロックピンから離脱させる方向に揺動するイジェクトレバーと、前記イジェクトレバーが前記ロックレバーを押圧する方向に前記イジェクトレバーを揺動付勢するイジェクトレバー付勢部材と、前記イジェクトレバーに接続された可動片を吸着して前記イジェクトレバー付勢部材の付勢力に抗して前記イジェクトレバーを揺動させ該イジェクトレバーが前記ロックレバーを押圧しない位置に退避させておく自己保持方式のソレノイドと、前記イジェクトレバーに対する前記可動片の所定量の遊びを許容して前記イジェクトレバーに前記可動片を保持する可動片保持可動部材と、前記所定量の遊びの範囲で前記可動片保持可動部材を前記ソレノイドに向けて常時付勢する可動片付勢部材と、前記トレイの挿抜操作によって前記トレイと前記筐体との間に生じる位置変化を利用して前記ロックピンに摺接し前記ロックピンからの押圧力を受けて揺動することによって前記可動片が前記ソレノイドに接近する方向に前記イジェクトレバーを揺動させるリセットレバーと、少なくとも前記ソレノイドによる前記可動片の吸着が解除された状況下において前記リセットレバーが前記ロックピンと摺接可能な位置に前記リセットレバーを揺動付勢しておくリセットレバー付勢部材とを備えたディスク装置のロック機構であって、
前記イジェクトレバーと前記可動片保持可動部材との間に設けた板バネによって前記可動片付勢部材を構成し、該可動片付勢部材と前記イジェクトレバーと前記可動片保持可動部材とを合成樹脂によって一体成形したことを特徴とするディスク装置のロック機構。
【請求項４】
情報記録媒体となるディスクを装着するためのトレイと、このトレイを挿抜可能に内嵌する筐体とを有し、前記筐体もしくは前記トレイの何れか一方の部材にロックピンを配備する一方、他方の部材には、前記ロックピンに係脱するロック部を先端に備えて揺動可能に支持されたロックレバーと、前記ロック部を前記ロックピンに係合させる方向に前記ロックレバーを揺動付勢するロックレバー付勢部材と、前記ロックレバー付勢部材による付勢力に抗して前記ロックレバーを押圧し前記ロック部を前記ロックピンから離脱させる方向に揺動するイジェクトレバーと、前記イジェクトレバーが前記ロックレバーを押圧する方向に前記イジェクトレバーを揺動付勢するイジェクトレバー付勢部材と、前記イジェクトレバーに接続された可動片を吸着して前記イジェクトレバー付勢部材の付勢力に抗して前記イジェクトレバーを揺動させ該イジェクトレバーが前記ロックレバーを押圧しない位置に退避させておく自己保持方式のソレノイドと、前記トレイの挿抜操作によって前記トレイと前記筐体との間に生じる位置変化を利用して前記ロックピンに摺接し前記ロックピンからの押圧力を受けて揺動することによって前記可動片が前記ソレノイドに接近する方向に前記イジェクトレバーを揺動させるリセットレバーと、少なくとも前記ソレノイドによる前記可動片の吸着が解除された状況下において前記リセットレバーが前記ロックピンと摺接可能な位置に前記リセットレバーを揺動付勢しておくリセットレバー付勢部材とを備えたディスク装置のロック機構であって、
前記イジェクトレバーの揺動中心から該イジェクトレバー上におけるイジェクトレバー付勢部材の取り付け位置までの距離が、前記イジェクトレバーの揺動中心から該イジェクトレバー上における前記可動片の取り付け位置までの距離よりも大きくしてあることを特徴とするディスク装置のロック機構。
【請求項５】
情報記録媒体となるディスクを装着するためのトレイと、このトレイを挿抜可能に内嵌する筐体とを有し、前記筐体もしくは前記トレイの何れか一方の部材にロックピンを配備する一方、他方の部材には、前記ロックピンに係脱するロック部を先端に備えて揺動可能に支持されたロックレバーと、前記ロック部を前記ロックピンに係合させる方向に前記ロックレバーを揺動付勢するロックレバー付勢部材と、前記ロックレバー付勢部材による付勢力に抗して前記ロックレバーを押圧し前記ロック部を前記ロックピンから離脱させる方向に揺動するイジェクトレバーと、前記イジェクトレバーが前記ロックレバーを押圧する方向に前記イジェクトレバーを揺動付勢するイジェクトレバー付勢部材と、前記イジェクトレバーに接続された可動片を吸着して前記イジェクトレバー付勢部材の付勢力に抗して前記イジェクトレバーを揺動させ該イジェクトレバーが前記ロックレバーを押圧しない位置に退避させておく自己保持方式のソレノイドと、前記トレイの挿抜操作によって前記トレイと前記筐体との間に生じる位置変化を利用して前記ロックピンに摺接し前記ロックピンからの押圧力を受けて揺動することによって前記可動片が前記ソレノイドに接近する方向に前記イジェクトレバーを揺動させるリセットレバーと、少なくとも前記ソレノイドによる前記可動片の吸着が解除された状況下において前記リセットレバーが前記ロックピンと摺接可能な位置に前記リセットレバーを揺動付勢しておくリセットレバー付勢部材とを備えたディスク装置のロック機構であって、
前記ロックレバーの揺動中心から該ロックレバー上におけるロックレバー付勢部材の取り付け位置までの距離が、前記ロックレバーの揺動中心から該ロックレバー上における前記ロック部の配備位置までの距離よりも大きくしてあることを特徴とするディスク装置のロック機構。
【請求項６】
情報記録媒体となるディスクを装着するためのトレイと、このトレイを挿抜可能に内嵌する筐体とを有し、前記筐体もしくは前記トレイの何れか一方の部材にロックピンを配備する一方、他方の部材には、前記ロックピンに係脱するロック部を先端に備えて揺動可能に支持されたロックレバーと、前記ロック部を前記ロックピンに係合させる方向に前記ロックレバーを揺動付勢するロックレバー付勢部材と、前記ロックレバー付勢部材による付勢力に抗して前記ロックレバーを押圧し前記ロック部を前記ロックピンから離脱させる方向に揺動するイジェクトレバーと、前記イジェクトレバーが前記ロックレバーを押圧する方向に前記イジェクトレバーを揺動付勢するイジェクトレバー付勢部材と、前記イジェクトレバーに接続された可動片を吸着して前記イジェクトレバー付勢部材の付勢力に抗して前記イジェクトレバーを揺動させ該イジェクトレバーが前記ロックレバーを押圧しない位置に退避させておく自己保持方式のソレノイドと、前記トレイの挿抜操作によって前記トレイと前記筐体との間に生じる位置変化を利用して前記ロックピンに摺接し前記ロックピンからの押圧力を受けて揺動することによって前記可動片が前記ソレノイドに接近する方向に前記イジェクトレバーを揺動させるリセットレバーと、少なくとも前記ソレノイドによる前記可動片の吸着が解除された状況下において前記リセットレバーが前記ロックピンと摺接可能な位置に前記リセットレバーを揺動付勢しておくリセットレバー付勢部材と、外部からの手動操作によって揺動し前記ロックレバー付勢部材による付勢力に抗して前記ロックレバーを押圧し前記ロック部を前記ロックピンから離脱させる方向に前記ロックレバーを揺動させるエマージェンシーイジェクトレバーと、該エマージェンシーイジェクトレバーのガタツキを防止するためのガタツキ防止部材とを備えたディスク装置のロック機構であって、
前記エマージェンシーイジェクトレバーの先端を前記ロックレバーに枢着し、該ロックレバーによって前記ガタツキ防止部材を兼ねさせたことを特徴とするディスク装置のロック機構。
【発明の詳細な説明】
【０００１】
【発明の属する技術分野】
本発明は、情報記録媒体となるディスクを装着して記録又は再生を行うディスク装置に関し、特に、記録又は再生用ディスクを搭載し搬入搬出を行うローディング機構のロック機構の改良に関する。
【０００２】
【従来の技術】
ノート型パソコン等に搭載される従来のディスク装置の構成の概略について図９および図１０に示す。
【０００３】
この種のディスク装置は、情報記録媒体となるディスク２を装着するためのトレイ４と、このトレイ４を挿抜可能に内嵌した筐体１とによって構成され、トレイ４は、筐体１に対して図９を基準に紙面の上下方向に移動可能に内嵌されている。
つまり、トレイ４を引き出した状態でディスク２の着脱作業を行い、ディスク２に対する情報の書き込み或いは読み込み作業を行う場合には、トレイ４を押し込んで筐体１に完全に内嵌させた状態で、トレイ４に設けられたディスク駆動装置３を作動させてこれらの作業を行う。
【０００４】
トレイ４を筐体１に内嵌した状態で保持するためのロック機構の構成の概略を図１０に示す。
【０００５】
このロック機構の主要部は、筐体１側に配備されたロックピン５と、トレイ４側に配備されたロックレバー６とで構成され、更に、トレイ４の側には、ロックレバー６を作動させてロック部６ａをロックピン５に係脱させるために必要とされる様々な構成要素が配備されている。
【０００６】
ロックピン５と係合する突起状のロック部６ａを備えたロックレバー６は、図１０に示されるように、トレイ４上に軸２４を支点として揺動自在に取り付けられ、スプリング等で構成されるロックレバー付勢部材７によってロック部６ａをロックピン５に係合させる方向、つまり、図１０中で時計方向に揺動付勢されている。
【０００７】
このロックレバー６を揺動させてロック部６ａとロックピン５の係合を解除させるためのイジェクトレバー１２は、図１０に示されるように、トレイ４上に軸２５を支点として揺動自在に取り付けられ、スプリング等で構成されるイジェクトレバー付勢部材１３によって、該イジェクトレバー１２の押圧片１２ａがロックレバー６を押す方向、つまり、図１０中で反時計方向に揺動付勢されている。
【０００８】
そして、イジェクトレバー１２には可動片保持可動部材１６を介して可動片１１ａが取り付けられ、トレイ４側に固設された自己保持方式のソレノイド１１によって可動片１１ａを吸着することにより、イジェクトレバー１２の姿勢が図１０の状態、つまり、押圧片１２ａがロックレバー６を押圧しないロック状態に保持している。
【０００９】
従って、この状態でイジェクトボタン１０を操作し、図示しない制御回路からの指令によってソレノイド１１の自己保持状態を解除すれば、ソレノイド１１による可動片１１ａの吸着が解除され、イジェクトレバー付勢部材１３の付勢力によってイジェクトレバー１２が反時計方向に揺動し、その押圧片１２ａがロックレバー６を押して該ロックレバー６を反時計方向に揺動させ、ロックレバー６のロック部６ａとロックピン５との間の係合が解除されて、トレイ４の引き出しが可能な状態となる。
【００１０】
その結果、図９に示されるようなスプリング等の動力源８とトレイ排出ロッド９等で構成される排出機構によりトレイ４が押され、筐体１を基準として手前方向、つまり、図９の下方にトレイ４が押し出されことになる。最終的な引き出し動作はトレイ４のフロントパネル２２を把持して手動で行う。
【００１１】
また、イジェクトレバー１２を再び図１０の姿勢に戻して可動片１１ａをソレノイド１１に吸着させるための機構は、トレイ４上に軸２６を支点として揺動自在に取り付けられたリセットレバー１４によって構成される。
【００１２】
このリセットレバー１４は、スプリング等のリセットレバー付勢部材１５によって図１０中で常に時計方向に揺動付勢され、トレイ４の挿抜によって筐体１とトレイ４との間に生じる相対的な位置変化、要するに、ロックピン５に対するリセットレバー１４の上下方向の位置変化によって、リセットレバー１４の一部である楔状摺接部１４ａがロックピン５と干渉する位置に、楔状摺接部１４ａを望ませている。
【００１３】
従って、トレイ４の挿抜によってリセットレバー１４が図１０の上下方向に移動して楔状摺接部１４ａがロックピン５に干渉すると、楔状摺接部１４ａの斜面がロックピン５によって押圧され、リセットレバー１４が図１０の反時計方向に揺動し、リセットレバー１４の押圧片１４ｂがイジェクトレバー１２を時計方向に揺動させて、イジェクトレバー１２側に取り付けられている可動片１１ａが再びソレノイド１１に吸着されることになる。
【００１４】
この際、可動片１１ａがソレノイド１１に確実に圧着されるようにするため、可動片１１ａがソレノイド１１に当接した状態から更にイジェクトレバー１２がオーバーストロークして時計方向に揺動してソレノイド１１に対する可動片１１ａの押し付け動作が行われるように、リセットレバー１４の押圧片１４ｂとイジェクトレバー１２の係合関係が設計されている。しかし、このようなオーバーストロークの設計を行った場合、イジェクトレバー１２やリセットレバー１４に過剰な応力が作用して損傷が生じ易くなるといった問題もある。
【００１５】
そこで、このような問題を解消するため、可動片１１ａは可動片保持可動部材１６を介してイジェクトレバー１２に取り付けられ、この可動片保持可動部材１６によって、イジェクトレバー１２に対する可動片１１ａの所定量の遊びが許容されるようになっている。
より具体的に言えば、この可動片保持可動部材１６は、図１０に示されるように、軸２７を介してイジェクトレバー１２上に所定範囲で揺動自在に取り付けられ、スプリング等の可動片付勢部材１７でソレノイド１１に向けて常時付勢されており、可動片１１ａが過剰な力でソレノイド１１に押し付けられた場合には、可動片付勢部材１７の付勢力に抗して図１０中の反時計方向に可動片保持可動部材１６が揺動して後退することで過剰な力を逃がすようになっている。
【００１６】
更に、この種のディスク装置においては、ソレノイド１１を始めとする部材の故障や電源未投入時のトレイ４の取り出しを考慮し、手動操作によって強制的にロックレバー６とロックピン５の係合を解除するエマージェンシーイジェクトレバー１８を装備するのが一般的である。
【００１７】
このエマージェンシーイジェクトレバー１８は、図１０に示されるように、軸２８を介してトレイ４上に揺動自在に取り付けられている。そして、フロントパネル２２に穿設した孔から引き延ばしたクリップ等を突入させてエマージェンシーイジェクトレバー１８の操作部１８ａを押圧することでエマージェンシーイジェクトレバー１８を時計方向に揺動させ、その押圧片１８ｂでロックレバー６を押して反時計方向に揺動させることで、ロック部６ａとロックピン５の係合を強制的に解除する。
【００１８】
また、エマージェンシーイジェクトレバー１８の姿勢を保持してガタツキを防止するため、スプリング等からなるガタツキ防止部材１９が設けられている。このガタツキ防止部材１９は、エマージェンシーイジェクトレバー１８を常時反時計方向に付勢することにより、エマージェンシーイジェクトレバー１８の揺動位置を反時計方向の揺動限界位置に規制して、そのガタツキを防止する。
【００１９】
以上、一例として、筐体１側にロックピン５を配備し、トレイ４の側にロックレバー６を始めとする他の構成要素を配備したディスク装置のロック機構の例について説明したが、これとは逆に、トレイ４側にロックピン５を配備し、筐体１側にロックレバー６を始めとする他の構成要素を配備したディスク装置もある。何れにしても、基本的な構成と動作態様に関しては、実質的に、上述した構成と同等である。
【００２０】
【発明が解決しようとする課題】
以上に述べた通り、自己保持方式のソレノイドを利用した従来型のディスク装置のロック機構においては、筐体とトレイとのロックおよびアンロック操作を行ったり、ロック状態の強制解除を行ったりする必要上、少なくとも、ロックレバー，ロックレバー付勢部材，イジェクトレバー，イジェクトレバー付勢部材，リセットレバー，リセットレバー付勢部材，可動片保持可動部材，可動片付勢部材，エマージェンシーイジェクトレバー、および、そのガタツキ防止部材等が必要とされ、これら多数の部品が図１０に示されるようにして同一平面上に分散して配備されているため、ロック機構のコンパクト化が困難であるといった問題があった。
【００２１】
また、ロックレバー付勢部材，イジェクトレバー付勢部材等には大きな付勢力が必要とされるため、スプリングの直径が大径化し、ロック機構のコンパクト化に不都合を生じる問題もある。
【００２２】
【発明の目的】
そこで、本発明の目的は、前記従来技術の欠点を解消し、部品点数の削減や付勢部材の小型化を図り、コンパクトなディスク装置のロック機構を提供することにある。
【００２３】
【課題を解決するための手段】
本発明は、情報記録媒体となるディスクを装着するためのトレイと、このトレイを挿抜可能に内嵌する筐体とを有し、筐体もしくはトレイの何れか一方の部材にロックピンを配備する一方、他方の部材には、前記ロックピンに係脱するロック部を先端に備えて揺動可能に支持されたロックレバーと、このロック部を前記ロックピンに係合させる方向にロックレバーを揺動付勢するロックレバー付勢部材と、ロックレバー付勢部材による付勢力に抗してロックレバーを押圧し前記ロック部をロックピンから離脱させる方向に揺動するイジェクトレバーと、前記イジェクトレバーがロックレバーを押圧する方向にイジェクトレバーを揺動付勢するイジェクトレバー付勢部材と、イジェクトレバーに接続された可動片を吸着してイジェクトレバー付勢部材の付勢力に抗してイジェクトレバーを揺動させ該イジェクトレバーがロックレバーを押圧しない位置に退避させておく自己保持方式のソレノイドと、トレイの挿抜操作によってトレイと筐体との間に生じる位置変化を利用してロックピンに摺接し該ロックピンからの押圧力を受けて揺動することによって可動片がソレノイドに接近する方向にイジェクトレバーを揺動させるリセットレバーと、少なくともソレノイドによる可動片の吸着が解除された状況下においてリセットレバーがロックピンと摺接可能な位置にリセットレバーを揺動付勢しておくリセットレバー付勢部材とを備えたディスク装置のロック機構であり、前記目的を達成するため、特に、イジェクトレバーがロックレバーを押圧しない位置にイジェクトレバーを退避させた状態でリセットレバーがロックピンから離間し、かつ、イジェクトレバーがロックレバーを押圧する位置にイジェクトレバーを揺動させた状態でリセットレバーがロックピンに接近するようにリセットレバーの先端をイジェクトレバーの揺動側の先端に枢着することにより、単一の付勢部材によってイジェクトレバー付勢部材とリセットレバー付勢部材を形成したことを特徴とする構成を有する。
【００２４】
ロックピンとリセットレバーとの摺接作用を利用して可動片をソレノイドに当接させるリセット操作を行う必要が生じるのは、イジェクトレバーがロックレバーを押圧してロックピンとロックレバーの係合が解除された状態、つまり、可動片がソレノイドから離れている場合に限られる。
そこで、本発明においては、イジェクトレバーがロックレバーを押圧しない位置にイジェクトレバーを退避させた状態でリセットレバーがロックピンから離間し、かつ、イジェクトレバーがロックレバーを押圧する位置にイジェクトレバーを揺動させた状態でリセットレバーがロックピンに接近するようにリセットレバーの先端をイジェクトレバーの揺動側の先端に枢着し、イジェクトレバーを揺動付勢する単一の付勢部材（イジェクトレバー付勢部材）によって、リセットレバー付勢部材を兼ねさせる。
このように、従来２つ必要であった付勢部材を一つの付勢部材に纏めることによって部品点数を削減し、ディスク装置のロック機構のコンパクト化を達成した。
【００２５】
また、ロックレバーとイジェクトレバーとリセットレバーの各々の揺動面が平行になるようにして、揺動面の法線方向に向けてロックレバーとイジェクトレバーとリセットレバーを重合配備することが可能である。
【００２６】
このように、ロックレバーとイジェクトレバーとリセットレバーの各々を揺動面の法線方向に向けて重合配備することにより、レバー類の配置に必要とされるスペースを節約してディスク装置のロック機構のコンパクト化を達成し、同時に、レバー類の相互干渉を防止するようにした。
【００２７】
更に、イジェクトレバーに対する可動片の所定量の遊びを許容してイジェクトレバーに可動片を保持する可動片保持可動部材と、この所定量の遊びの範囲で可動片保持可動部材をソレノイドに向けて常時付勢する可動片付勢部材とを備えたロック機構にあっては、イジェクトレバーと可動片保持可動部材との間に設けた板バネによって可動片付勢部材を構成し、この可動片付勢部材とイジェクトレバーと可動片保持可動部材とを合成樹脂によって一体成形することが望ましい。
【００２８】
このように、可動片付勢部材とイジェクトレバーと可動片保持可動部材とを合成樹脂によって一体成形することにより、従来はスプリング等の別部材によって構成されていた可動片付勢部材がイジェクトレバーと一体化され、イジェクトレバー周辺の構造の簡素化と部品点数の削減が図られ、ディスク装置のロック機構のコンパクト化が達成される。
【００２９】
また、イジェクトレバーの揺動中心から該イジェクトレバー上におけるイジェクトレバー付勢部材の取り付け位置までの距離は、イジェクトレバーの揺動中心から該イジェクトレバー上における可動片の取り付け位置までの距離よりも大きくすることが望ましい。
【００３０】
このようにしてイジェクトレバーの揺動中心からイジェクトレバー付勢部材の取り付け位置までの距離（モーメント）を相対的に長くすることで、イジェクトレバー付勢部材による揺動付勢力を増幅することが可能となる。この結果、イジェクトレバー付勢部材自体に必要とされる付勢力は従来のものに比べて僅かなもので済み、イジェクトレバー付勢部材の小型化（スプリングの小径化）が可能となる。これにより、ディスク装置のロック機構のコンパクト化が達成される。
【００３１】
これと同様、ロックレバーの揺動中心から該ロックレバー上におけるロックレバー付勢部材の取り付け位置までの距離も、ロックレバーの揺動中心から該ロックレバー上におけるロック部の配備位置までの距離よりも大きくすることが望ましい。
【００３２】
このように、ロックレバーの揺動中心からロックレバー付勢部材の取り付け位置までの距離（モーメント）を相対的に長くすることで、ロックレバー付勢部材による揺動付勢力を増幅することが可能となる。この結果、ロックレバー付勢部材自体が有する付勢力が僅かなものであっても、ロックレバー先端のロック部を確実にロックピンに係合させることができるようになる。従って、ロックレバー付勢部材の小型化（スプリングの小径化）が可能となり、これによってディスク装置のロック機構のコンパクト化が達成される。
【００３３】
更に、外部からの手動操作により揺動してロックレバーを押圧することでロックレバーのロック部とロックピンとの係合を解除するエマージェンシーイジェクトレバーを備えたロック機構にあっては、エマージェンシーイジェクトレバーの先端をロックレバーに枢着し、このロックレバーによってガタツキ防止部材を兼ねさせるようにする。
【００３４】
このように、エマージェンシーイジェクトレバーの先端をロックレバーに枢着することにより、スプリング等の別部材によって構成されていたガタツキ防止部材が不要となる。構成上必須とされるロックレバーによってエマージェンシーイジェクトレバーのガタツキを防止できるようになるため、部品点数が削減され、ディスク装置のロック機構のコンパクト化が達成される。
【００３５】
無論、上述した６つの解決手段の各々を単独で利用してもよいし、そのうちの幾つかを選択的に組み合わせて利用してもよく、更には、その全てを同時に利用してもよい。
【００３６】
【発明の実施の形態】
次に、本発明の実施形態について図面を参照して詳細に説明する。図１は本発明を適用した一実施形態のディスク装置の構成の概略について示した平面図、また、図４は同実施形態のディスク装置のロック機構の要部をロック状態で示した部分拡大図である。
【００３７】
このディスク装置は、情報記録媒体となるディスク２を装着するためのトレイ４と、このトレイ４を挿抜可能に内嵌した筐体１とによって構成され、トレイ４は、筐体１に対して図１を基準に紙面の上下方向に移動可能に内嵌されている。つまり、トレイ４を引き出した状態でディスク２の着脱作業を行い、ディスク２に対する情報の書き込み或いは読み込み作業を行う場合には、トレイ４を押し込んで筐体１に完全に内嵌させた状態で、トレイ４に設けられたディスク駆動装置３を作動させて、これらの作業を行う。
【００３８】
トレイ４を筐体１に内嵌した状態で保持するためのロック機構の構成の概略を図４に示す。
【００３９】
このロック機構の主要部は、筐体１側に配備されたロックピン５と、トレイ４側に配備されたロックレバー６とで構成され、更に、トレイ４の側には、ロックレバー６を作動させてロック部６ａをロックピン５に係脱させるために必要とされる様々な構成要素が配備されている。
【００４０】
ロックピン５と係合する突起状のロック部６ａを備えたロックレバー６は、図４に示されるように、トレイ４上に軸２４を支点として揺動自在に取り付けられ、スプリング等で構成されるロックレバー付勢部材７によって、ロック部６ａをロックピン５に係合させる方向、つまり、図４中で時計方向に揺動付勢されている。
【００４１】
ロックレバー６を軸支する軸２４、つまり、ロックレバー６の揺動中心からロックレバー付勢部材７の取り付け位置までの距離Ｌ１’は、図４に示される通り、ロックレバーの揺動中心からロックレバー６上におけるロック部６ａの配備位置までの距離距離Ｌ１よりも大きいので、ロックレバー付勢部材７による揺動付勢力をテコの原理で増幅してロックレバー６の先端のロック部６ａを確実にロックピン５に係合させることができる。ロック部６ａとロックピン５の係合に必要とされる力は従来と同様であるので、ロックレバー付勢部材７を構成するスプリングの小径化および小型化が可能であり、これによってディスク装置のロック機構のコンパクト化が達成される。
【００４２】
このロックレバー６を揺動させてロック部６ａとロックピン５の係合を解除させるためのイジェクトレバー１２は、図４に示されるように、トレイ４上に軸２５を支点として揺動自在に取り付けられ、スプリング等で構成されるイジェクトレバー付勢部材２１によって、該イジェクトレバー１２の押圧片１２ａがロックレバー６を押す方向、つまり、図４中で時計方向に揺動付勢されている。
【００４３】
イジェクトレバー１２を軸支する軸２５、つまり、イジェクトレバー１２の揺動中心から該イジェクトレバー１２上におけるイジェクトレバー付勢部材２１の取り付け位置までの距離Ｌ２’は、図４に示される通り、イジェクトレバー１２の揺動中心からイジェクトレバー１２上における可動片１１ａの取り付け位置までの距離Ｌ２よりも大きいので、前記と同様、イジェクトレバー付勢部材２１による揺動付勢力をテコの原理で増幅して有効に利用することができ、イジェクトレバー付勢部材２１を構成するスプリングの小径化および小型化が可能であり、これによってディスク装置のロック機構のコンパクト化が達成される。
【００４４】
また、イジェクトレバー１２には可動片保持可動部材を兼ねる板バネ２０を介して可動片１１ａが取り付けられ、トレイ４側に固設された自己保持方式のソレノイド１１によって可動片１１ａを吸着することにより、イジェクトレバー１２の姿勢が図４の状態、つまり、押圧片１２ａがロックレバー６を押圧しない状態に保持されている。
【００４５】
ここで、イジェクトボタン１０を操作し、図示しない制御回路からの指令によってソレノイド１１の自己保持状態を解除すれば、図５に示されるようにして、ソレノイド１１による可動片１１ａの吸着が解除され、イジェクトレバー付勢部材１３の付勢力によってイジェクトレバー１２が時計方向に揺動し、その押圧片１２ａがロックレバー６を押して該ロックレバー６を反時計方向に揺動させ、ロックレバー６のロック部６ａとロックピン５の係合が解除されて、トレイ４の引き出しが可能な状態となる。
【００４６】
その結果、スプリング等の動力源８とトレイ排出ロッド９等で構成される排出機構によりトレイ４が押され、図２に示されるように、トレイ４が僅かに押し出されことになる。最終的な引き出し動作はトレイ４のフロントパネル２２を把持して手動で行われ、最大で、図３に示す位置までトレイ４の引き出しが可能である。
【００４７】
一方、イジェクトレバー１２を再び図４の姿勢に戻して可動片１１ａをソレノイド１１に吸着させるための機構は、トレイ４上に軸２６を支点として揺動自在に取り付けられたリセットレバー１４によって構成される。
【００４８】
リセットレバー１４の先端は、イジェクトレバー１２がロックレバー６を押圧しないようにイジェクトレバー１２を退避させた図４の状態でリセットレバー１４の楔状摺接部１４ａがロックピン５から左側に離間し、かつ、イジェクトレバー１２がロックレバー６を押圧するようにイジェクトレバー１２を揺動させた図５の状態でリセットレバー１４の楔状摺接部１４ａがロックピン５に接近するように、イジェクトレバー１２の揺動側の先端１２ｂに枢着されている。
【００４９】
イジェクトレバー１２に枢着されたリセットレバー１４は、図５のように、イジェクトレバー１２の押圧片１２ａがロックレバー６を押圧するアンロックの状態において、イジェクトレバー付勢部材２１の付勢力により軸２６を中心として図５の反時計方向に揺動付勢される。従って、図１０に示した従来例のような専用のリセットレバー付勢部材１５は不要となり、単一の付勢部材、つまり、イジェクトレバー付勢部材２１によってリセットレバー１４の付勢部材を兼ねさせることができる。
【００５０】
このように、従来２つ必要であった付勢部材を一つの付勢部材に纏めることによって部品点数が削減され、ディスク装置のロック機構のコンパクト化が可能となる。
【００５１】
図５の状態からトレー４を更に引き出すと、筐体１に対するトレイ４の相対移動、つまり、ロックピン５に対するリセットレバー１４の相対移動によって、図６に示されるようにしてリセットレバー１４の楔状摺接部１４ａがロックピン５に干渉し、楔状摺接部１４ａの斜面がロックピン５によって押圧され、リセットレバー１４が図６のように時計方向に揺動される。この結果、リセットレバー１４に枢着されたイジェクトレバー１２が図６のように反時計方向に揺動し、イジェクトレバー１２側に取り付けられている可動片１１ａが再びソレノイド１１に吸着される。また、イジェクトレバー１２が退避する結果、ロックレバー６もロックレバー付勢部材７の揺動付勢力によって、再び、ロックピン５と係合可能な位置に復帰することになる。
【００５２】
この際、可動片１１ａがソレノイド１１に確実に圧着されるようにするため、可動片１１ａがソレノイド１１に当接した状態から更にイジェクトレバー１２がオーバーストロークして反時計方向に揺動するが、ソレノイド１１に対する可動片１１ａの押し付け動作が過剰な力で行われると、図６に示されるように、合成樹脂製のイジェクトレバー１２に一体成形された板バネ２０が撓んでイジェクトレバー１２に対し相対的に可動片１１ａを後退させ、イジェクトレバー１２およびリセットレバー１４等に作用する過剰な力を逃がす。
【００５３】
この板バネ２０は図１０に示した従来例における可動片保持可動部材１６と可動片付勢部材１７を兼ねるものであり、このような部品点数の削減化、および、イジェクトレバー１２に対する板バネ２０の一体成形化により、ディスク装置のロック機構のコンパクト化および製造コストの低減化が達成される。
【００５４】
ロックピン５に対するリセットレバー１４の相対移動を利用した可動片１１ａのリセット動作は、図３のような状態にあるトレイ４を再び筐体１に押し込むときにも行われる。前述した引き出し操作の際にソレノイド１１に駆動電圧が印加され続けて可動片１１ａがソレノイド１１に上手く吸着されなかったような場合には、この押し込み操作の際に、前記と同様にして可動片１１ａの吸着等を始めとするリセット動作が行われることになる。
【００５５】
また、引出し操作の段階で既に可動片１１ａがソレノイド１１に上手く吸着されているような場合には、可動片１１ａの吸着を除くリセット動作が前記と同様にして行われて、イジェクトレバー１２がオーバーストロークの分だけ揺動することになる。この場合も前記と同様、板バネ２０の撓みによって過剰な力が逃がされ、イジェクトレバー１２およびリセットレバー１４を始めとする各部の損傷等が未然に防止される。
【００５６】
何れの場合も、この押し込み操作により、最終的にはロックレバー６のロック部６ａの斜面がロックピン５に摺接し、このときの反力によってロックレバー６が反時計方向に揺動され、最終的に、ロックピン５を乗り越えたロック部６ａの立ち上がり部分がロックピン５と係合し、トレイ４が筐体１内に固定される。
【００５７】
また、手動操作によって強制的にロックレバー６とロックピン５の係合を解除するためのエマージェンシーイジェクトレバー１８は、図７に示されるように、軸２８を介してトレイ４上に揺動自在に取り付けられ、押圧片１８ｂの先端をロックレバー６に枢着されている。従って、フロントパネル２２に穿設した孔から専用のロッド或いは引き延ばしたクリップ２３等を突入させてエマージェンシーイジェクトレバー１８の操作部１８ａを押圧することでエマージェンシーイジェクトレバー１８を時計方向に揺動させ、その押圧片１８ｂでロックレバー６を反時計方向に揺動させることで、ロック部６ａとロックピン５の係合を強制的に解除することができる。
【００５８】
押圧片１８ｂの先端をロックレバー６に枢着した構成であるため、エマージェンシーイジェクトレバー１８の姿勢はロックレバー６によって保持される。従って、図１０の従来例のようなスプリング状のガタツキ防止部材１９は不要であり、部品点数の削減およびコンパクト化が達成される。
【００５９】
図８は、ロックレバー６，イジェクトレバー１２，リセットレバー１４，エマージェンシーイジェクトレバー１８等の取り付け状態について筐体１の側方から見た概略を示した透視図である。前述したように付勢部材となる各種スプリングの削減と小径化および小径化により、これらのレバー類の揺動面を平行にして筐体１の厚み方向つまり揺動面の法線方向に向けてロックレバー６，イジェクトレバー１２，リセットレバー１４，エマージェンシーイジェクトレバー１８を重合配備することが可能となり、これによってディスク装置のロック機構のコンパクト化が更に促進されることになる。
【００６０】
図８の例ではロックレバー６の上側にイジェクトレバー１２，リセットレバー１４，エマージェンシーイジェクトレバー１８を配置しているが、これとは逆に、ロックレバー６の下側にイジェクトレバー１２，リセットレバー１４，エマージェンシーイジェクトレバー１８を配置するように構成することも可能である。
【００６１】
以上、一実施形態として、筐体１側にロックピン５を配備し、トレイ４側にロックレバー６およびその関連部材を配備した例について述べたが、これとは逆に、トレイ４側にロックピン５を配備し、筐体１側にロックレバー６およびその関連部材を配備することも可能である。
【００６２】
【発明の効果】
本発明によるディスク装置のロック機構は、イジェクトレバーを揺動付勢する単一の付勢部材（イジェクトレバー付勢部材）によってリセットレバー付勢部材を兼ねさせるようにしたので、部品点数が削減され、ディスク装置のロック機構のコンパクト化と構造の簡素化が達成される。
【００６３】
また、ロックレバーとイジェクトレバーとリセットレバーの各々を揺動面の法線方向に向けて重合配備するようにしたので、レバー類の配置に必要とされるスペースが節約され、ディスク装置のロック機構のコンパクト化が達成される。
【００６４】
更に、可動片付勢部材とイジェクトレバーと可動片保持可動部材とを合成樹脂によって一体成形することにより、従来はスプリング等の別部材によって構成されていた可動片付勢部材がイジェクトレバーと一体化されるので、イジェクトレバー周辺の構造の簡素化と部品点数の削減が図られ、ディスク装置のロック機構のコンパクト化が達成される。
【００６５】
しかも、イジェクトレバーの揺動中心からイジェクトレバー付勢部材の取り付け位置までの距離をイジェクトレバーの揺動中心から可動片の取り付け位置までの距離よりも長くし、また、ロックレバーの揺動中心からロックレバー付勢部材の取り付け位置までの距離をロックレバーの揺動中心からロック部の配備位置までの距離よりも長くしたので、イジェクトレバー付勢部材やロックレバー付勢部材による付勢力が増幅され、イジェクトレバー付勢部材やロックレバー付勢部材自体に必要とされる付勢力が従来よりも僅かなもので済むようになり、イジェクトレバー付勢部材やロックレバー付勢部材の小型化が可能となる。これらの付勢部材の小型化によってディスク装置のロック機構のコンパクト化が達成される。
【００６６】
更に、エマージェンシーイジェクトレバーの先端をロックレバーに枢着してロックレバーを動かすようにしたので、スプリング等の別部材によって構成されるガタツキ防止部材でエマージェンシーイジェクトレバーの姿勢を保持しなくてもエマージェンシーイジェクトレバーのガタツキを防止することができる。専用のガタツキ防止部材が不要となるため、部品点数が削減され、ディスク装置のロック機構のコンパクト化と構造の簡素化が達成される。
【図面の簡単な説明】
【図１】本発明の一実施形態のディスク装置の構成の概略についてトレイを格納した状態で示した平面図である。
【図２】同実施形態のディスク装置の構成の概略についてトレイを僅かに引き出した状態で示した平面図である。
【図３】同実施形態のディスク装置の構成の概略についてトレイを完全に引き出した状態で示した平面図である。
【図４】同実施形態のディスク装置のロック機構の要部をロック状態で示した部分拡大図である。
【図５】同実施形態のディスク装置のロック機構の要部をロック解除状態で示した部分拡大図である。
【図６】同実施形態のディスク装置のロック機構の要部をイジェクトレバーのオーバーストローク状態で示した部分拡大図である。
【図７】エマージェンシーイジェクトレバーの操作について示した部分拡大図である。
【図８】各種レバーの取り付け状態について筐体の側方から見た概略を示した透視図である。
【図９】従来のディスク装置の構成の概略について示した平面図である。
【図１０】従来のディスク装置のロック機構の要部について示した部分拡大図である。
【符号の説明】
１  筐体
２  ディスク
３  ディスク駆動装置
４  トレイ
５  ロックピン
６  ロックレバー
６ａ  ロック部
７  ロックレバー付勢部材
８  動力源
９  トレイ排出ロッド
１０  イジェクトボタン
１１  自己保持方式のソレノイド
１１ａ  可動片
１２  イジェクトレバー
１２ａ  押圧片
１２ｂ  先端
１３  イジェクトレバー付勢部材
１４  リセットレバー
１４ａ  楔状摺接部
１４ｂ  押圧片
１５  リセットレバー付勢部材
１６  可動片保持可動部材
１７  可動片付勢部材
１８  エマージェンシーイジェクトレバー
１８ａ  操作部
１８ｂ  押圧片
１９  ガタツキ防止部材
２０  板バネ（可動片保持可動部材を兼ねる板バネ）
２１  イジェクトレバー付勢部材（単一の付勢部材）
２２  フロントパネル
２３  クリップを真っ直ぐ伸ばしたもの等
２４  軸
２５  軸
２６  軸
２７  軸
２８  軸
【図１】
0003651408.tif 000002
【図２】
0003651408.tif 000003
【図３】
0003651408.tif 000004
【図４】
0003651408.tif 000005
【図５】
0003651408.tif 000006
【図６】
0003651408.tif 000007
【図７】
0003651408.tif 000008
【図８】
0003651408.tif 000009
【図９】
0003651408.tif 000010
【図１０】
0003651408.tif 000011